(57)【要約】【課題】ユーザに負担をかけずに外部機器の出力対象の解像度で投影を行うことが可能な画像投影装置、更新方法及びプログラムを提供する。【解決手段】ＰＣとＨＤＭＩケーブルで接続されるプロジェクタ１０であって、ＰＣから参照され、プロジェクタ１０のＥＤＩＤを記憶するＥＥＰＲＯＭ１０１と、ＰＣから、当該ＰＣの出力対象の解像度を示す解像度情報を取得する取得部１１５と、解像度情報が示す解像度がプロジェクタ１０で対応している解像度であり、解像度情報が示す解像度がＥＤＩＤに含まれていない場合、解像度情報が示す解像度がＥＤＩＤに含まれるようにＥＤＩＤを更新する更新部１１９と、を備える。【選択図】図２
2014153548.tif 000002
【特許請求の範囲】
【請求項１】
外部機器と所定通信路で接続される画像投影装置であって、
前記外部機器から参照され、前記画像投影装置で対応している出力形式に関する出力形式情報を記憶する記憶部と、
前記外部機器から、当該外部機器の出力対象の解像度を示す解像度情報を取得する取得部と、
前記解像度情報が示す解像度が前記画像投影装置で対応している解像度であり、前記解像度情報が示す解像度が前記出力形式情報に含まれていない場合、前記解像度情報が示す解像度が前記出力形式情報に含まれるように前記出力形式情報を更新する更新部と、
を備える画像投影装置。
【請求項２】
前記解像度情報が示す解像度が前記画像投影装置で対応している解像度であるか否か、及び前記解像度情報が示す解像度が前記出力形式情報に含まれているか否かを判定する判定部を更に備える請求項１に記載の画像投影装置。
【請求項３】
前記外部機器と前記所定通信路で電気的に接続されたことを検知する検知部を更に備え、
前記取得部は、前記電気的な接続が検知されると、前記解像度情報を取得する請求項１又は２に記載の画像投影装置。
【請求項４】
前記検知部は、前記電気的な接続として、前記外部機器から前記所定通信路を介した所定電源の供給を検知する請求項３に記載の画像投影装置。
【請求項５】
前記所定通信路は、ＨＤＭＩ（High  Definition  Multimedia  Interface）ケーブルである請求項１〜４のいずれか１つに記載の画像投影装置。
【請求項６】
前記所定通信路は、ディスプレイポートケーブルである請求項１〜４のいずれか１つに記載の画像投影装置。
【請求項７】
外部機器と所定通信路で接続される画像投影装置で実行される更新方法であって、
前記画像投影装置は、
前記外部機器から参照され、前記画像投影装置で対応している出力形式に関する出力形式情報を記憶する記憶部を備え、
前記外部機器から、当該外部機器の解像度を示す解像度情報を取得する取得ステップと、
前記解像度情報が示す解像度が前記画像投影装置で対応している解像度であり、前記解像度情報が示す解像度が前記出力形式情報に含まれていない場合、前記解像度情報が示す解像度が前記出力形式情報に含まれるように前記出力形式情報を更新する更新ステップと、
を含む更新方法。
【請求項８】
請求項７に記載の更新方法をコンピュータに実行させるためのプログラム。
【発明の詳細な説明】
【技術分野】
【０００１】
本発明は、画像投影装置、更新方法及びプログラムに関する。
【背景技術】
【０００２】
プロジェクタなどの画像投影装置は、解像度など自身が対応している出力形式のフォーマットを、ＥＤＩＤ（Extended  Display  Identification  Data）として、ＥＥＰＲＯＭ（Electrically  Erasable  Programmable  Read  Only  Memory）に記憶している。
【０００３】
ＰＣ（Personal  Computer）などの外部機器は、画像投影装置を用いて画像を投影する場合、プロジェクタに実装されているＥＥＰＲＯＭにアクセスしてＥＤＩＤを取得し、プロジェクタで受像できる解像度を認識し、当該解像度で映像を出力する。
【０００４】
但し、ＶＥＳＡ（Video  Electronics  Standards  Association）の規格上、ＥＤＩＤに設定できる解像度には制限が設けられているため、画像投影装置で対応している全ての解像度がＥＤＩＤに設定されているとは限らない。
【０００５】
このため、画像投影装置が外部機器の出力対象の解像度に対応しているにも関わらず、当該解像度がＥＤＩＤに設定されていないため、外部機器側でＥＤＩＤに設定されている解像度に変換して映像を出力しなければならない場合がある。
【０００６】
ここで、例えば特許文献１には、ユーザが希望する解像度での投影を行うため、ＥＤＩＤを記憶した２つのＥＥＰＲＯＭをプロジェクタに搭載し、一方のＥＥＰＲＯＭのＥＤＩＤには、ユーザがメニュー画面で登録した１種類の解像度を設定する技術が開示されている。
【０００７】
特許文献１に開示された技術によれば、外部機器の出力対象の解像度をメニュー画面で登録することにより、当該解像度をＥＤＩＤに設定できるため、外部機器は当該解像度で映像を画像投影装置に出力し、映像を投影させることができる。
【発明の概要】
【発明が解決しようとする課題】
【０００８】
しかしながら、上述したような従来技術では、外部機器の出力対象の解像度で投影を行うためには、ユーザが当該解像度の登録作業を行わなければならず、ユーザの負担が大きい。
【０００９】
本発明は、上記事情に鑑みてなされたものであり、ユーザに負担をかけずに外部機器の出力対象の解像度で投影を行うことが可能な画像投影装置、更新方法及びプログラムを提供することを目的とする。
【課題を解決するための手段】
【００１０】
上述した課題を解決し、目的を達成するために、本発明の一態様にかかる画像投影装置は、外部機器と所定通信路で接続される画像投影装置であって、前記外部機器から参照され、前記画像投影装置で対応している出力形式に関する出力形式情報を記憶する記憶部と、前記外部機器から、当該外部機器の出力対象の解像度を示す解像度情報を取得する取得部と、前記解像度情報が示す解像度が前記画像投影装置で対応している解像度であり、前記解像度情報が示す解像度が前記出力形式情報に含まれていない場合、前記解像度情報が示す解像度が前記出力形式情報に含まれるように前記出力形式情報を更新する更新部と、を備える。
【００１１】
また、本発明の別の態様にかかる更新方法は、外部機器と所定通信路で接続される画像投影装置で実行される更新方法であって、前記画像投影装置は、前記外部機器から参照され、前記画像投影装置で対応している出力形式に関する出力形式情報を記憶する記憶部を備え、前記外部機器から、当該外部機器の解像度を示す解像度情報を取得する取得ステップと、前記解像度情報が示す解像度が前記画像投影装置で対応している解像度であり、前記解像度情報が示す解像度が前記出力形式情報に含まれていない場合、前記解像度情報が示す解像度が前記出力形式情報に含まれるように前記出力形式情報を更新する更新ステップと、を含む。
【００１２】
また、本発明の別の態様にかかるプログラムは、上記更新方法をコンピュータに実行させるためのものである。
【発明の効果】
【００１３】
本発明によれば、ユーザに負担をかけずに外部機器の出力対象の解像度で投影を行うことが可能という効果を奏する。
【図面の簡単な説明】
【００１４】
【図１】図１は、本実施形態のプロジェクタシステムの構成の一例を示すブロック図である。
【図２】図２は、本実施形態のプロジェクタの構成の一例を示すブロック図である。
【図３】図３は、本実施形態のＥＤＩＤの一例を示す図である。
【図４】図４は、本実施形態のDetailed  Timing  Descriptionデータの内容の一例を示す図である。
【図５】図５は、本実施形態のプロジェクタで実行される処理の一例を示すフローチャート図である。
【発明を実施するための形態】
【００１５】
以下、添付図面を参照しながら、本発明にかかる画像投影装置、更新方法及びプログラムの実施形態を詳細に説明する。以下では、画像投影装置としてプロジェクタを例にとり説明するが、これに限定されるものではない。
【００１６】
まず、本実施形態のプロジェクタの構成について説明する。
【００１７】
図１は、本実施形態のプロジェクタシステム１の構成の一例を示すブロック図である。図１に示すように、プロジェクタシステム１は、ＨＤＭＩ（High  Definition  Multimedia  Interface）端子２１を有するＰＣ２０と、ＨＤＭＩ端子１１を有するプロジェクタ１０と、を備える。ＨＤＭＩ端子２１とＨＤＭＩ端子１１とは、ＨＤＭＩケーブル２（所定通信路の一例）で接続されている。
【００１８】
ＰＣ２０（外部機器の一例）は、プロジェクタ１０のソース機器となる情報処理装置であり、ＨＤＭＩケーブル２を介してプロジェクタ１０にＴＭＤＳ（Transition  Minimized  Differential  Signaling）信号を出力し、当該ＴＭＤＳ信号に基づく映像をプロジェクタ１０に投影させる。
【００１９】
図２は、本実施形態のプロジェクタ１０の構成の一例を示すブロック図である。図２に示すように、プロジェクタ１０は、ＨＤＭＩ端子１１と、ＥＥＰＲＯＭ１０１と、制御部１１１と、メモリ１２１と、受信部１３１と、調整部１３３と、駆動部１３５と、光源１３７と、表示部１３９と、投影部１４１とを、備える。
【００２０】
ＥＥＰＲＯＭ（Electrically  Erasable  Programmable  Read  Only  Memory）１０１（記憶部の一例）は、プロジェクタ１０で対応している出力形式に関する出力形式情報を記憶する。具体的には、ＥＥＰＲＯＭ１０１は、プロジェクタ１０のＥＤＩＤ（Extended  Display  Identification  Data）を記憶する。ＥＤＩＤの詳細については、後述する。
【００２１】
制御部１１１は、プロジェクタ１０の各部を制御したり、各種処理を行ったりするものであり、例えば、ＣＰＵ（Central  Processing  Unit）、ＲＡＭ（Random  Access  Memory）、及びＲＯＭ（Read  Only  Memory）などの演算回路や記憶回路を備えるマイクロコントローラ（マイコン）により実現できる。
【００２２】
制御部１１１は、検知部１１３と、取得部１１５と、判定部１１７と、更新部１１９とを、備える。
【００２３】
検知部１１３は、ＰＣ２０とＨＤＭＩケーブル２で電気的に接続されたことを検知する。具体的には、検知部１１３は、ＰＣ２０からＨＤＭＩケーブル２を介した所定電源の供給を検知する。本実施形態では、検知部１１３は、ＰＣ２０からＨＤＭＩケーブル２の電圧供給ライン３３を介した５Ｖ電源の供給を検知するものとするが、これに限定されるものではない。
【００２４】
なお、前述のＥＥＰＲＯＭ１０１は、ＰＣ２０から供給される５Ｖ電源を電源として動作する。このため、ＥＥＰＲＯＭ１０１は、ＰＣ２０からも参照可能となっており、ＥＥＰＲＯＭ１０１に記憶されているＥＤＩＤは、プロジェクタ１０だけでなくＰＣ２０からも参照される。
【００２５】
取得部１１５は、ＰＣ２０から、ＰＣ２０の出力対象の解像度を示す解像度情報を取得する。具体的には、取得部１１５は、検知部１１３によりＰＣ２０からの５Ｖ電源の供給が検知されると、ＨＤＭＩケーブル２のＣＥＣ（Consumer  Electronics  Control）ライン３９を介した通信を行う。そして取得部１１５は、解像度情報として、出力対象の解像度のDetailed  Timing  Descriptionデータを取得する。Detailed  Timing  Descriptionデータについては、後述する。
【００２６】
判定部１１７は、取得部１１５により取得された解像度情報が示す解像度がプロジェクタ１０で対応している解像度であるか否か、及び当該解像度情報が示す解像度がＥＥＰＲＯＭ１０１に記憶されているＥＤＩＤに含まれているか否かを判定する。
【００２７】
ここで、メモリ１２１について説明する。メモリ１２１は、不揮発性の記憶装置であり、制御部１１１の制御や処理に必要な各種情報を記憶する。メモリ１２１は、例えば、プロジェクタ１０で対応している解像度それぞれのDetailed  Timing  Descriptionデータを記憶する。
【００２８】
このため、判定部１１７は、取得部１１５により取得されたDetailed  Timing  Descriptionデータを、メモリ１２１に記憶されているDetailed  Timing  Descriptionデータと比較することで、取得されたDetailed  Timing  Descriptionデータの解像度がプロジェクタ１０で対応している解像度であるか否かを判定できる。
【００２９】
ここで、ＥＤＩＤ及びDetailed  Timing  Descriptionデータについて説明する。図３は、本実施形態のＥＤＩＤの一例を示す図である。なお、図３に示す例では、ＥＤＩＤの全てを図示しておらず、一部を省略している。具体的には、ＥＤＩＤを構成するＢｌｏｃｋ＃０及びＢｌｏｃｋ＃１のうちＢｌｏｃｋ＃０のみを図示している。Detailed  Timing  Descriptionデータは、ＥＤＩＤにも含まれており、図３の破線１０２で囲まれたデータがDetailed  Timing  Descriptionデータとなる。なお、Detailed  Timing  Descriptionデータは、図４に示す内容の値を示しており、例えば、Ｐｉｘｅｌ  Ｃｌｏｃｋ（Ｌ）の値は、“９Ｅ”となる。
【００３０】
このため、判定部１１７は、取得部１１５により取得されたDetailed  Timing  Descriptionデータを、ＥＥＰＲＯＭ１０１に記憶されているＥＤＩＤのDetailed  Timing  Descriptionデータと比較することで、取得されたDetailed  Timing  Descriptionデータの解像度がＥＤＩＤに含まれているか否かを判定できる。
【００３１】
更新部１１９は、取得部１１５により取得された解像度情報が示す解像度がプロジェクタ１０で対応している解像度であり、当該解像度情報が示す解像度がＥＥＰＲＯＭ１０１に記憶されているＥＤＩＤに含まれていないと判定部１１７により判定された場合、当該解像度情報が示す解像度がＥＤＩＤに含まれるようにＥＤＩＤを更新する。更新部１１９は、更に、ＥＤＩＤに含まれるチェックサム値も更新する。
【００３２】
具体的には、更新部１１９は、Ｉ２Ｃ（Inter  Integrated  Circuit）経由でＥＥＰＲＯＭ１０１にアクセスし、図３に示す例の場合、破線１０２で囲まれたDetailed  Timing  Descriptionデータを、取得部１１５により取得されたDetailed  Timing  Descriptionデータで更新し、ＥＤＩＤを更新する。更新部１１９は、更に、図３の破線１０３で囲まれたチェックサム値も更新する。更新部１１９は、例えば、更新後のＥＤＩＤのＢｌｏｃｋ＃０の値を全て加算し、加算値の下位２バイトが０ｘ００ｈとなるチェックサム値に、図３の破線１０３で囲まれたチェックサム値を更新する。
【００３３】
そして制御部１１１は、ＨＤＭＩケーブル２のＨｏｔＰｌｕｇライン３７を流れる信号をＨｉｇｈにし、プロジェクタ１０側で投影準備が完了したことをＰＣ２０に通知する。
【００３４】
この後、ＰＣ２０は、ＨＤＭＩケーブル２のＤＤＣ（Display  Data  Channel）ライン３５を介した通信を行い、ＥＥＰＲＯＭ１０１からＥＤＩＤを取得する。そしてＰＣ２０は、投影対象の映像の解像度を、ＥＤＩＤに含まれるDetailed  Timing  Descriptionデータが示す解像度に決定し、当該解像度の映像に基づくＴＭＤＳ信号をＨＤＭＩケーブル２のＴＭＤＳライン３１を介してプロジェクタ１０に出力する。
【００３５】
受信部１３１は、ＰＣ２０からＨＤＭＩケーブル２を介してＴＭＤＳ信号を受信し、映像信号（詳細には、ＲＧＢデジタル映像信号）に変換する。なお、映像信号は、音声信号を含んでいてもよい。
【００３６】
調整部１３３は、受信部１３１により変換された映像信号に基づく映像の縦と横の画素数を判定し、プロジェクタ１０の出力画素数のアスペクト比に対して当該映像が最適表示になるようにスケーリングを行なう。
【００３７】
駆動部１３５は、例えば、ドライバ回路などにより実現でき、調整部１３３によりスケーリングされた映像及びその同期信号に基づいて、表示部１３９の表示素子を駆動する。
【００３８】
光源１３７は、光を発光する。
【００３９】
表示部１３９は、例えば、表示パネルなどにより実現でき、調整部１３３によりスケーリングされた映像を表示し、当該映像により光源１３７からの光を変調する。
【００４０】
投影部１４１は、投射レンズ等の投影光学系などにより実現でき、表示部１３９からの映像光を図示せぬスクリーンなどの投影媒体に拡大投影する。
【００４１】
なお、プロジェクタ１０は、上述した各部の全てを必須の構成とする必要はなく、その一部を省略した構成としてもよい。
【００４２】
次に、本実施形態のプロジェクタの動作について説明する。
【００４３】
図５は、本実施形態のプロジェクタ１０で実行される処理の一例を示すフローチャート図である。
【００４４】
まず、検知部１１３は、ＰＣ２０とＨＤＭＩケーブル２で電気的に接続されたか否かをチェックする（ステップＳ１０１）。
【００４５】
ここで、検知部１１３は、ＰＣ２０からＨＤＭＩケーブル２の電圧供給ライン３３を介した５Ｖ電源の供給を検知すれば、ＰＣ２０とＨＤＭＩケーブル２で電気的に接続されていると判定し（ステップＳ１０３でＹｅｓ）、ステップＳ１０５へ進む。一方、検知部１１３は、５Ｖ電源の供給を検知しなければ、ＰＣ２０とＨＤＭＩケーブル２で電気的に接続されていないと判定し（ステップＳ１０３でＮｏ）、ステップＳ１０１へ戻る。
【００４６】
続いて、取得部１１５は、ＰＣ２０とＨＤＭＩケーブル２のＣＥＣライン３９を介した通信を行い、解像度情報として、出力対象の解像度のDetailed  Timing  Descriptionデータを取得する（ステップＳ１０５）。
【００４７】
続いて、判定部１１７は、取得部１１５により取得されたDetailed  Timing  Descriptionデータを、メモリ１２１に記憶されているDetailed  Timing  Descriptionデータと比較し、取得されたDetailed  Timing  Descriptionデータの解像度がプロジェクタ１０で対応している解像度であるか否かを判定する（ステップＳ１０７）。
【００４８】
取得されたDetailed  Timing  Descriptionデータの解像度がプロジェクタ１０で対応している解像度である場合（ステップＳ１０７でＹｅｓ）、判定部１１７は、取得されたDetailed  Timing  Descriptionデータを、ＥＥＰＲＯＭ１０１に記憶されているＥＤＩＤのDetailed  Timing  Descriptionデータと比較し、取得されたDetailed  Timing  Descriptionデータの解像度がＥＤＩＤに含まれているか否かを判定する（ステップＳ１０９）。
【００４９】
取得されたDetailed  Timing  Descriptionデータの解像度がＥＤＩＤに含まれていない場合（ステップＳ１０９でＮｏ）、更新部１１９は、Ｉ２Ｃ経由でＥＥＰＲＯＭ１０１にアクセスし、ＥＤＩＤのDetailed  Timing  Descriptionデータを、取得されたDetailed  Timing  Descriptionデータで更新して、ＥＤＩＤを更新し、更に、チェックサム値も更新する（ステップＳ１１１）。
【００５０】
続いて、制御部１１１は、ＨＤＭＩケーブル２のＨｏｔＰｌｕｇライン３７を流れる信号をＨｉｇｈにし、プロジェクタ１０側で投影準備が完了したことをＰＣ２０に通知し、ＴＭＤＳ信号（映像信号）の受信を待機する（ステップＳ１１３）。
【００５１】
なお、取得されたDetailed  Timing  Descriptionデータの解像度がプロジェクタ１０で対応している解像度でない場合（ステップＳ１０７でＮｏ）、取得されたDetailed  Timing  Descriptionデータの解像度がＥＤＩＤに含まれている場合（ステップＳ１０９でＹｅｓ）、ステップＳ１１１の処理は行われずに、ステップＳ１１３の処理が行われる。
【００５２】
以上のように本実施形態によれば、プロジェクタは、投影開始前にＰＣの出力対象の解像度（Detailed  Timing  Descriptionデータ）を取得し、プロジェクタが当該解像度に対応しているが、ＥＤＩＤに含まれていない場合、当該解像度が含まれるようにＥＤＩＤを更新する。このため本実施形態によれば、ユーザに負担をかけずにＰＣの出力対象の解像度で投影を行うことが可能となる。
【００５３】
（変形例）
なお、本発明は、上記実施形態に限定されるものではなく、種々の変形が可能である。例えば、上記実施形態では、ＰＣ及びプロジェクタの端子がＨＤＭＩ端子であり、ＨＤＭＩケーブルで接続される例について説明したが、これに限定されるものではない。例えば、ＰＣ及びプロジェクタの端子をＤｉｓｐｌａｙＰｏｒｔ端子とし、ＤｉｓｐｌａｙＰｏｒｔケーブルで接続する場合にも適用できる。
【００５４】
（ハードウェア構成）
本実施形態及び変形例のプロジェクタのハードウェア構成の一例について説明する。本実施形態及び変形例のプロジェクタは、ＣＰＵなどの制御装置と、ＲＯＭやＲＡＭなどの記憶装置と、ＨＤＤなどの外部記憶装置と、ディスプレイなどの表示装置と、キーボードやマウスなどの入力装置と、通信インタフェースなどの通信装置と、を備えており、通常のコンピュータを利用したハードウェア構成となっている。
【００５５】
本実施形態及び変形例のプロジェクタで実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００５６】
また、本実施形態及び変形例のプロジェクタで実行されるプログラムを、インターネット等のネットワークに接続されたコンピュータ上に格納し、ネットワーク経由でダウンロードさせることにより提供するようにしてもよい。また、本実施形態及び変形例のプロジェクタで実行されるプログラムを、インターネット等のネットワーク経由で提供または配布するようにしてもよい。また、本実施形態及び変形例のプロジェクタで実行されるプログラムを、ＲＯＭ等に予め組み込んで提供するようにしてもよい。
【００５７】
本実施形態及び変形例のプロジェクタで実行されるプログラムは、上述した各部をコンピュータ上で実現させるためのモジュール構成となっている。実際のハードウェアとしては、ＣＰＵがＨＤＤからプログラムをＲＡＭ上に読み出して実行することにより、上記各部がコンピュータ上で実現されるようになっている。
【符号の説明】
【００５８】
１  プロジェクタシステム
２  ＨＤＭＩケーブル
１０  プロジェクタ
１１  ＨＤＭＩ端子
２０  ＰＣ
２１  ＨＤＭＩ端子
１０１  ＥＥＰＲＯＭ
１１１  制御部
１１３  検知部
１１５  取得部
１１７  判定部
１１９  更新部
１２１  メモリ
１３１  受信部
１３３  調整部
１３５  駆動部
１３７  光源
１３９  表示部
１４１  投影部
【先行技術文献】
【特許文献】
【００５９】
【特許文献１】特開２００９−１００２１９号公報
【図１】
2014153548.tif 000003
【図２】
2014153548.tif 000004
【図３】
2014153548.tif 000005
【図４】
2014153548.tif 000006
【図５】
2014153548.tif 000007